(57)【特許請求の範囲】
【請求項１】
表面材と裏面材にてフェノール樹脂を主成分とする発泡体からなる芯材をサンドイッチした建築用パネルにおいて、該芯材内に紐状で水膨潤する多孔質部材を介在させたことを特徴とする建築用パネル。
【発明の詳細な説明】
【０００１】
【産業上の利用分野】
本発明は建築、構築物の内壁材、外壁材、屋根材、天井材、床材、間仕切り材、あるいは防火戸等として使用でき、かつ、製造後に膨れ、反り等の変形がなく、しかも防火性、耐火性、機械強度に優れた建築用パネルに関するものである。
【０００２】
【従来の技術】
一般に、薄板状の表面材と裏面材にてフェノール合成樹脂発泡体からなる芯材をサンドイッチした建築用パネルは数多く発明、考案されて上市されている。
【０００３】
【発明が解決しようとする課題】
しかしながら、上記のような芯材としてフェノールフォームを使用した建築用パネルでは、芯材をレゾール型フェノールの原液と、硬化剤、発泡剤を混合し、吐出させ、反応発泡して形成したフェノールフォームとしたので、反応ガスが発生して芯材内に残留したり、フェノールフォーム中に、反応の際の縮合水が重量の数１０パーセント位が保持され、製品の養生期間、あるいは建築用パネルの施工後に、外気温等の変化により、水分が水蒸気化し、逃げ道が無いために、建築用パネルの表面材もしくは裏面材と芯材との間に残留し、建築用パネルの表面材と裏面材の裏面にガス膨れが発生したり、反ったりする等、経時的に建築用パネルに悪影響を及ぼす不具合を生じることもあった。
【０００４】
【課題を解決するための手段】
本発明はこのような欠点を除去するために、芯材内に紐状で水膨潤する多孔質部材を介在させることにより、芯材形成時の反応からもたれされる水分を多孔質部材にて吸収し、建築用パネル木口面から建築用パネル外部に水分を放出し、建築用パネルの表面材と裏面材の裏面にガス膨れが発生したり、建築用パネル自体が反ったりする等、経時的に建築用パネルに悪影響を及ぼすことがない建築用パネルを提案するものである。
【０００５】
【実施例】
以下に図面を用いて、本発明に係る建築用パネルＡの一実施例について詳細に説明する。すなわち、建築用パネルＡは断面図である図１に示すように、表面材１と裏面材２でフェノール樹脂を主原料とする発泡体からなる芯材３を、サンドイッチした建築用パネルＡであり、芯材３中に紐状で水膨潤する多孔質部材４を複数介在したものである。
【０００６】
表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、等（勿論、これらを各種色調に塗装したカラー鋼板を含む）、あるいは塩化ビニル樹脂、ポリカーボネイト樹脂、等の樹脂材、等の一種をロール成形、プレス成形、押出成形等によって各種形状に成形したもの、あるいは無機質材を押出成形、プレス成形、オートクレーブ養生成形、焼成、等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布、等の１種、または２種以上をラミネートしたもの、あるいは防水処理、難燃処理されたシート状物からなるものである。
【０００７】
また、芯材３は建築用パネルＡの嵩上材、断熱材、防火材、後記する多孔質部材４のバインダーとして機能するものであり、フェノールを主原料とした発泡体からなるものである。その例としては、例えばレゾール型フェノールの原液と、硬化剤、発泡剤を混合し、表面材１、もしくは裏面材２の裏面側に吐出させ、加熱して反応発泡させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【０００８】
さらに、芯材３の中には紐状で水膨潤する多孔質部材４が複数混在しているものである。（なお、図１では表面材１側付近に多孔質部材４を介在させている。）多孔質部材４は図２（ａ）に示すような断面円状で、全体として図２（ｂ）に示すような紐状であり、素材としてポリウレタン系、ヌレート系、ゴム系、等の各種合成樹脂発泡体、等からなるものである。
【０００９】
また、多孔質部材４は発泡体のセルが互いに連結している連通組織からなるものであり、水分を吸収し易く、水膨潤するものである。したがって、芯材３形成時の反応からもたれされる水分（縮合水）を多孔質部材４にて吸収し、建築用パネルＡの木口面（切断面）から建築用パネルＡ外部に水分を放出し、建築用パネルＡの表面材１と裏面材２の裏面にガス膨れが発生したり、反ったりする等、経時的に建築用パネルＡに悪影響を及ぼすことがなくなるものである。
【００１０】
また、建築用パネルＡの全体形状の例としては図３に示すように、長尺状の薄板からなる金属製の表面材１、金属製の裏面材２と幅方向の一端に形成した雄型連結部５、他端に形成した雌型連結部６、および化粧面７とから形成したものである。また、図では特に建築用パネルＡ同士の連結で生じる目地部に無機ボード８、無機系パッキング材９を介在して、さらに防火性、耐火性の向上を図り、ＪＩＳ−Ａ−１３０４（建築構造部分の耐火試験方法）の耐火１時間試験に合格する建築用パネルＡとしたものである。なお、図３では表面材１に凹凸状のエンボス加工１０を施し、意匠性を向上したものである。
【００１１】
【その他の実施例】
以上説明したのは、本発明に係る建築用パネルＡの一実施例であり、図４、図５に示すような建築用パネルＡとすることもできる。すなわち、図４（ａ）は多孔質部材４を裏面材２側にのみ分布させた建築用パネルＡの例、図４（ｂ）は多孔質部材４を表面材１と裏面材２の両方に分布させた建築用パネルＡの例、図４（ｃ）は多孔質部材４を芯材３の略中央部分に分布させた建築用パネルＡの例である。
【００１２】
また、図５（ａ）は多孔質部材４を芯材３内に略均一に分布させた建築用パネルＡの例、図５（ｂ）は多孔質部材４を芯材３内に最密充填した建築用パネルＡの例である。勿論、これらを各々組み合わせた建築用パネルＡとすることができる。
【００１３】
【発明の効果】
以上説明したように本発明に係る建築用パネルよれば、従来の欠点を解決し、芯材内に紐状で水膨潤する多孔質部材を介在させることにより、芯材形成時の反応からもたらされる水分を多孔質部材にて吸収し、建築用パネル木口面から建築用パネル外部に水分を放出し、建築用パネル表面材と裏面材の裏面にガス膨れが発生したり、反ったりする等、経時的に建築用パネルに悪影響を及ぼすことがない建築用パネルとなる。等の特徴、効果がある。
【図面の簡単な説明】
【図１】本発明に係る建築用パネルの代表例を示す拡大断面図である。
【図２】図１で用いられた多孔質部材の例を示す説明図である。
【図３】本発明に係る建築用パネルの全体形状の例を示す説明図である。
【図４】本発明に係る建築用パネルのその他の例を示す説明図である。
【図５】本発明に係る建築用パネルのその他の例を示す説明図である。
【符号の説明】
Ａ  建築用パネル
１  表面材
２  裏面材
３  芯材
４  多孔質部材
５  雄型連結部
６  雌型連結部
７  化粧面
８  無機ボード
９  無機系パッキング材
１０  エンボス加工
【図１】
0003575641.tif 000002
【図２】
0003575641.tif 000003
【図３】
0003575641.tif 000004
【図４】
0003575641.tif 000005
【図５】
0003575641.tif 000006